(57)【要約】【課題】設置スペースを小さくすることが可能で、かつ、種々の回路を形成可能な可変変圧器及びその使用方法を提供する。【解決手段】可変変圧器１００は、互いに対向する第一コア部１１と第二コア部１２とを有する鉄心１と、第一コア部１１の周囲に巻かれ、電源に接続される入力端子Ａ及びＡ’と出力端子Ｂとを有する一次コイル２１と、第二コア部１２の周囲に巻かれ、出力端子Ｃと出力端子Ｄとを有する二次コイル２２と、を有し、二次コイル２２は、一次コイル２１とは絶縁されており、出力端子Ｂ及び出力端子Ｄから出力する電圧を任意に変更可能となっていることを特徴とする。【選択図】図１
2020205367.tif 000002
【特許請求の範囲】
【請求項１】
互いに対向する第一コア部と第二コア部とを有する鉄心と、
前記第一コア部の周囲に巻かれ、電源に接続される入力端子Ａ及びＡ’と出力端子Ｂとを有する一次コイルと、
前記第二コア部の周囲に巻かれ、出力端子Ｃと出力端子Ｄとを有する二次コイルと、を有し、
前記二次コイルは、前記一次コイルとは絶縁されており、
前記出力端子Ｂ及び前記出力端子Ｄから出力する電圧を任意に変更可能となっていることを特徴とする可変変圧器。
【請求項２】
前記入力端子Ａは、前記一次コイルの一端に接続され、接地可能となっており、
前記出力端子Ｂは、前記一次コイルと接し、前記第一コア部の長手方向にスライドするスライド端子Ｅに接続されている請求項１に記載の可変変圧器。
【請求項３】
前記出力端子Ｃは、前記二次コイルの一端側に接続されており、
前記出力端子Ｄは、前記二次コイルと接し、前記第二コア部の長手方向にスライドするスライド端子Ｆに接続されている請求項１または２に記載の可変変圧器。
【請求項４】
前記一次コイルの巻き方向と、前記二次コイルの巻き方向とは、逆方向である請求項１ないし３のいずれか１項に記載の可変変圧器。
【請求項５】
前記第一コア部は、両端部近傍において同じ方向に屈曲しており、
前記第二コア部は、両端部近傍において同じ方向に屈曲しており、
前記第一コア部の両端部と前記第二コア部の両端部とが接合されることで前記鉄心を構成する請求項１ないし４のいずれか１項に記載の可変変圧器。
【請求項６】
請求項１ないし５のいずれか１項に記載の可変変圧器の使用方法であって、
前記入力端子Ａを接地する工程と、
前記入力端子Ａ、前記出力端子Ｂ、前記出力端子Ｃ及び前記出力端子Ｄのそれぞれを任意に接続し、回路を形成する工程と、を有することを特徴とする可変変圧器の使用方法。
【発明の詳細な説明】
【技術分野】
【０００１】
本発明は、設置スペースの小さくすることが可能で、かつ、種々の回路を形成可能な可変変圧器及びその使用方法に関する。
【背景技術】
【０００２】
従来よりダイヤル型の操作部を回転させることで電圧を調整する回転式スライダックが知られている。
また、鉄心に一次巻線及び二次巻線を巻き、鉄心の磁路面積を調整することで電圧を変化させる可変変圧器も知られている（例えば、特許文献１参照）。
【先行技術文献】
【特許文献】
【０００３】
【特許文献１】特開２０１０−２７８２７３号公報
【発明の概要】
【発明が解決しようとする課題】
【０００４】
しかし、従来のような回転式スライダックでは、円筒形であることから、スペースの問題で変圧器を必要とする機器の中に効率よく設置することが困難であり、かつ出力が電源ラインに接続されているため、他の電源との接続ができなかった。
また、磁路面積を調整する可変変圧器では、変圧回路を自由に組み替えるのが難しく、種々の回路を形成することができなかった。
【０００５】
そこで、本発明は、設置スペースを小さくすることが可能で、かつ、種々の回路を形成可能な可変変圧器及びその使用方法を提供することを目的とする。
【課題を解決するための手段】
【０００６】
本発明は、互いに対向する第一コア部と第二コア部とを有する鉄心と、
前記第一コア部の周囲に巻かれ、電源に接続される入力端子Ａ及びＡ’と出力端子Ｂとを有する一次コイルと、
前記第二コア部の周囲に巻かれ、出力端子Ｃと出力端子Ｄとを有する二次コイルと、を有し、
前記二次コイルは、前記一次コイルとは絶縁されており、
前記出力端子Ｂ及び前記出力端子Ｄから出力する電圧を任意に変更可能となっていることを特徴とする可変変圧器である。
【０００７】
また、本発明は、前記入力端子Ａを接地する工程と、
前記入力端子Ａ、前記出力端子Ｂ、前記出力端子Ｃ及び前記出力端子Ｄのそれぞれを任意に接続し、回路を形成する工程と、を有することを特徴とする可変変圧器の使用方法である。
【発明の効果】
【０００８】
本発明によれば、設置スペースを小さくすることが可能で、かつ、２つの可変電圧出力をもち、これを用いて独立した２電源、倍電圧の電源さらに単相３線式回路が結線の組み合わせにより形成可能な可変変圧器及びその使用方法を提供することができる。
【図面の簡単な説明】
【０００９】
【図１】本発明の可変変圧器の構成の一例を示す正面図（ａ）及び断面図（ｂ）である。
【図２】本発明の可変変圧器の外観の構成の一例を示す外観図である。
【図３】本発明の可変変圧器を用いた回路構成の一例を示す回路図である。
【図４】本発明の可変変圧器を用いた回路構成の一例を示す回路図である。
【図５】本発明の可変変圧器を用いた回路構成の一例を示す回路図である。
【発明を実施するための形態】
【００１０】
以下、本発明の可変変圧器の好適な実施形態について詳細に説明する。
図１は、本発明の可変変圧器の構成の一例を示す正面図（ａ）及び断面図（ｂ）、図２は、本発明の可変変圧器の外観の構成の一例を示す外観図、図３〜５は、本発明の可変変圧器を用いた回路構成の一例を示す回路図である。本明細書において、図１及び図２中、上方向を上又は上側、下方向を下又は下側という。
【００１１】
可変変圧器１００は、入力された交流電圧を任意の大きさの交流電圧に変換可能な可変変圧器である。すなわち、後述する各出力端子間の電位差を任意に変更可能な可変変圧器である。
可変変圧器１００は、図１に示すように、鉄心１と、一次コイル２１と、二次コイル２２とを有している。また、可変変圧器１００は、図２に示すように、鉄心１、一次コイル２１及び二次コイル２２を収容する筐体３と、筐体３表面に設けられ、上下方向に移動する第一スライダ４１及び第二スライダ４２と、接続端子群５とを有している。
【００１２】
鉄心１は、第一コア部１１と第二コア部１２とを有している。また、鉄心１の中央部には、空間１５が形成されている。本実施形態では、鉄心１の外形及び空間１５の外形は、図１に示すように、略四角形となっている。空間１５は１次コイルと２次コイルとの間の絶縁さえ保たれればよいので十分に狭くできる。
第一コア部１１と第二コア部１２とは、互いに対向するように配置されている。
図１に示すように、第一コア部１１の両端部は、同じ方向に屈曲している。すなわち、第一コア部１１の両端部は、第二コア部１２側に向かって屈曲している。
また、図１に示すように、第二コア部１２の両端部は、同じ方向に屈曲している。すなわち、第二コア部１２の両端部は、第一コア部１１側に向かって屈曲している。
【００１３】
第一コア部１１の両端部と第二コア部１２の両端部とが接合し、接合部１３及び接合部１４を形成することにより、鉄心１が構成されている。
鉄心１は、成層鉄心で構成されている。これにより、渦電流を抑制し、熱損失が生じるのを防止することができる。
【００１４】
第一コア部１１及び第二コア部１２の周囲には、それぞれ一次コイル２１及び二次コイル２２が設けられている。二次コイル２２は、一次コイル２１とは絶縁されている。
一次コイル２１は、電源に接続される入力端子Ａ及び入力端子Ａ′と、入力端子Ａに接続された出力端子Ａ”と、出力端子Ｂとを有している。
また、二次コイル２２は、出力端子Ｃと出力端子Ｄとを有している。
【００１５】
入力端子Ａは、一次コイル２１の一端に接続されており、さらに、接地可能となっている。他方の入力端子Ａ’は、１次コイル２１に図１のように接続される。また、出力端子Ｂは、スライド端子Ｅに接続されている。スライド端子Ｅは、一次コイル２１と接しており、第一コア部１１の長手方向（図１中の上下方向）にスライドするよう構成されている。出力端子Ｂに繋がるスライド端子Ｅは、入力端子Ａ’より上方に移動できるため、入力電圧より高い電圧を出力できる。これは、例えば、入力電源の電圧が１００Ｖの場合、最大出力（Ｖｍａｘ）は１３０Ｖ出力することができる。
出力端子Ｃは、二次コイル２２の一端に接続されている。そして、出力端子Ｃは、接地されない。また、出力端子Ｄは、スライド端子Ｆに接続されている。スライド端子Ｆは、二次コイル２２と接しており、第二コア部１２の長手方向（図１中の上下方向）にスライドするよう構成されている。
【００１６】
スライド端子Ｅ及びスライド端子Ｆは、それぞれ、第一スライダ４１及び第二スライダ４２と連動している。すなわち、第一スライダ４１を上下方向にスライドさせると、スライド端子Ｅはそれに連動して上下方向にスライドする。また、第二スライダ４２を上下方向にスライドさせると、スライド端子Ｆはそれに連動して上下方向にスライドする。
入力端子Ａ、入力端子Ａ’、出力端子Ａ”、出力端子Ｂ、出力端子Ｃ及び出力端子Ｄは、筐体３表面に設けられた接続端子群５の任意の接続端子に電気的に接続されている。この接続端子群５を介して、電源や各端子間が電気的に接続可能となっている。
【００１７】
ここで、一次コイル２１のコイルの巻き方向と二次コイル２２のコイルの巻き方向は、逆方向であることが好ましい。これにより、電圧を増減させる際におけるスライド端子Ｅとスライド端子Ｆの移動方向を同じ方向にすることができる。すなわち、例えば、スライド端子Ｅを上方向に動かすことで電圧が大きくなる場合、スライド端子Ｆも上方向に動かくことで電圧が大きくなるようにすることができる。また、それぞれ同相の出力とすることができる。
【００１８】
以上のような可変変圧器１００を用いることにより、小さいスペースであっても設置することができる。
また、可変変圧器１００を用いることにより、種々の回路を容易に形成することが可能となる。例えば、図３〜５に示すような回路を容易に形成することができる。これら全ての回路で、入力端子Ａ及び入力端子Ａ’は電源に接続される。このときに、原則として、中性線（ｃｏｌｄ）側を入力端子Ａにする。この場合は、入力端子を接地することができる。
【００１９】
図３は、一次コイル２１側と二次コイル２２側とを、別々の回路として使用することを示している。なお、この際、二次コイル２２側は、電源とは絶縁されている。
図３では、例えば、一次コイル２１に、１００Ｖの交流電圧を印加した場合、それぞれの出力Ｖ１およびＶ２は、０〜１３０Ｖ（Ｖｍａｘ）に変圧することができる回路が２つ存在することとなる。
【００２０】
図４は、出力端子Ｂと出力端子Ｃとを接続し、一次コイル２１と二次コイル２２と直列に接続して使用することを示している。
図４では、例えば、入力端子Ａと入力端子Ａ’に１００Ｖの交流電圧を印加した場合、Ｖ３に０〜１３０Ｖ（Ｖｍａｘ）、そして、Ｖ４に倍の電圧の０〜２６０Ｖ（２倍のＶｍａｘ）に変圧できる回路となる。
【００２１】
図５は、入力端子Ａと出力端子Ｄとを出力端子Ａ”を介して接続した回路を示している。
図５では、例えば、一次コイル２１の入力端子Ａと入力端子Ａに１００Ｖの交流電圧を印加した場合、Ｖ５及びＶ６は、それぞれ逆相の０〜１３０Ｖ（Ｖｍａｘ）、かつ、Ｖ４は０〜２６０Ｖ（２倍のＶｍａｘ）が出力される。これにより、出力端子Ｄを中性線とした単相３線式の回路とすることができる。
【００２２】
可変変圧器１００は、使用前において入力端子Ａは接地されていなくてもよいが、可変変圧器１００を使用する際には、単層２線式の電源の中性線側を入力端子Ａに接続し、それを接地してから使用することが好ましい。
すなわち、可変変圧器１００の使用方法としては、入力端子Ａを接地する工程と、入力端子Ａ（出力端子Ａ”）、出力端子Ｂ、出力端子Ｃ及び出力端子Ｄのそれぞれを任意に接続し、回路を形成する工程と、を有することが好ましい。
【００２３】
以上のような可変変圧器１００は、例えば、以下のように製造することができる。
空間１５の断面形状と約同じ断面形状を有する型を用意し、型の周辺に薄い鉄板を幾重にも巻きつけた後、型を取り除く。その後、接合部１３及び１４に該当する箇所で切断することにより、第一コア部１１と第二コア部１２とを形成する。
次に、第一コア部１１と第二コア部１２の周囲にコイルを巻き付け、一次コイル２１及び二次コイル２２を形成する。
次に、第一コア部１１と第二コア部１２とを接合し、各端子を取り付け、筐体３に収納することにより、可変変圧器１００が得られる。
なお、型の形状の変更や切断幅の調整により、空間１５の幅を任意に調整することができ、より小さいスペースであっても、可変変圧器１００を設置することが可能となる。さらに、設置幅を小さくできるので、複数の電源を省スペースに構築することができる。
【００２４】
以上、本発明の可変変圧器及びその使用方法について、好適な実施形態を基に説明したが、本発明はこれに限定されない。
上述した説明では鉄心１の外形及び空間１５の外形が略四角形のものについて説明したが、これに限定されず、第一コア部１１と第二コア部１２の部分が外側に湾曲した形状であってもよい。
【符号の説明】
【００２５】
１                鉄心
１１              第一コア部
１２              第二コア部
１３、１４        接合部
１５              空間
２１              一次コイル
２２              二次コイル
３                筐体
４１              第一スライダ
４２              第二スライダ
５                接続端子群
１００            可変変圧器
Ａ、Ａ’          入力端子
Ａ”、Ｂ、Ｃ、Ｄ  出力端子
Ｅ、Ｆ            スライド端子
【図１】
2020205367.tif 000003
【図２】
2020205367.tif 000004
【図３】
2020205367.tif 000005
【図４】
2020205367.tif 000006
【図５】
2020205367.tif 000007